(57)【要約】【課題】  未だ発売されていない音楽データ、無名の新人の音楽データ等をユーザが自由にダウンロードすることができる音楽配信システムを提供する。【課題を解決するための手段】  通信回線を介して端末装置に音楽データを配信するシステムにおいて、無料で音楽データを配信するための無料音楽配信ウエブサイトと有料で音楽データを配信するための有料音楽配信ウエブサイトを開設し、ユーザから上記無料音楽配信ウエブサイトを介して音楽データの配信要求を受信したとき、該ユーザに音楽データを無料で配信し、音楽データを配信した毎にダウンロード数を集計し、ダウンロード数の集計結果に基いて、その音楽データを上記有料音楽配信ウエブサイトに移管するか否かを判定し、音楽データを上記無料音楽配信ウエブサイトから上記有料音楽配信ウエブサイトに移管する。【選択図】  図２
2006208692.tif 000002
【特許請求の範囲】
【請求項１】
通信回線を介して端末装置に音楽データを配信する音楽配信方法において、
無料で音楽データを配信するための無料音楽配信ウエブサイトと有料で音楽データを配信するための有料音楽配信ウエブサイトを開設することと、
ユーザから上記無料音楽配信ウエブサイトを介して音楽データの配信要求を受信したとき、該ユーザに音楽データを無料で配信する配信ステップと、
上記配信ステップにて音楽データを配信した毎にダウンロード数を集計するダウンロード数集計ステップと、
上記ダウンロード数の集計結果に基いて、音楽データを上記無料音楽配信ウエブサイトから上記有料音楽配信ウエブサイトに移管する移管ステップと、
を含む音楽配信方法。
【請求項２】
請求項１記載の音楽配信方法において、上記ダウンロード数集計ステップにて集計したダウンロード数の集計結果に基いて、ダウンロード数の多い順に音楽データのランキング順位を生成しそれを上記無料音楽配信ウエブサイトにて表示することと、
を含む音楽配信方法。
【請求項３】
請求項１記載の音楽配信方法において、上記ダウンロード数集計ステップは、音楽データをダウンロードしたユーザ数をダウンロード数として計数することを特徴とする音楽配信方法。
【請求項４】
請求項１記載の音楽配信方法において、新着音楽データの入力があったとき、該新着音楽データを無料音楽配信ウエブサイトの音楽リストに追加することを特徴とする音楽配信方法。
【請求項５】
請求項１記載の音楽配信方法において、上記無料音楽配信ウエブサイトの音楽リストに掲載されてから所定の期間が経過してもダウンロード数が所定数に満たない音楽データを削除することを特徴とする音楽配信方法。
【請求項６】
請求項１記載の音楽配信方法において、無料音楽配信ウエブサイトの音楽リストに掲載されてから所定の期間が経過した音楽データを削除することを特徴とする音楽配信方法。
【請求項７】
請求項１記載の音楽配信方法において、上記配信ステップにて音楽データを無料で配信したユーザから、所定の応募期間にどの音楽データのダウンロード数が１位になるかを当てる懸賞応募を受け付ける懸賞応募受付ステップを有することを特徴とする音楽配信方法。
【請求項８】
請求項１記載の音楽配信方法において、上記有料音楽配信サイトに移管すると判定した音楽データのうち所定の条件を満たすものに関して音楽イベントを計画している旨及び、その音楽イベント開催決定に必要な最低催行人数を事前告知し、そのチケット販売の公告ページを上記無料音楽配信ウエブサイトと上記有料音楽配信ウエブサイト上に表示すること、を有することを特徴とする音楽配信方法。
【請求項９】
請求項８記載の音楽配信方法において、上記音楽イベントのチケット購入申し込み者数が所定の申し込み期間にて所定の最低催行数を超えた場合に、上記チケット購入申し込み者に上記音楽イベントを開催する旨を通知し、上記音楽イベントのチケット購入申し込み者数が所定の申し込み期間にて所定の最低催行数に満たない場合に、上記チケット購入申し込み者に上記音楽イベントの開催中止の通知を行うことを特徴とする音楽配信方法。
【請求項１０】
請求項１から９のいずれか１項に記載の音楽配信方法をコンピュータに実行させるためのコンピュータに読み取り可能なプログラム。
【請求項１１】
無料で音楽データを配信するための無料音楽配信ウエブサイトと有料で音楽データを配信するための有料音楽配信ウエブサイトを管理するウエブサイト管理部と、ユーザからの要求に従って無料で音楽データを配信するための無料音楽データ配信処理部と、無料で配信した音楽データ毎にダウンロード数を計数するダウンロード数集計処理部と、上記ダウンロード数の集計結果に基いて無料音楽配信ウエブサイトから有料音楽配信ウエブサイトに音楽データを移管する移管処理部と、有する音楽配信装置。
【請求項１２】
請求項１１記載の音楽配信装置において、上記ダウンロード数集計処理部は、音楽データをダウンロードしたユーザ数をダウンロード数として計数し、ダウンロード数の集計結果に基いて、ダウンロード数の多い順に音楽データのランキング順位を生成しそれを上記無料音楽配信ウエブサイトにて表示することを特徴とする音楽配信装置。
【請求項１３】
請求項１１記載の音楽配信装置において、更に、上記無料音楽配信ウエブサイトに音楽データを追加及び削除する音楽データ追加及び削除処理部を設け、該音楽データ追加及び削除処理部は、新着音楽データを上記無料音楽配信ウエブサイトに追加することを特徴とする音楽配信装置。
【請求項１４】
請求項１３記載の音楽配信装置において、上記音楽データ追加及び削除処理部は、上記無料音楽配信ウエブサイトの音楽リストに掲載されてから所定の期間が経過してもダウンロード数が所定数に満たない音楽データを削除することを特徴とする音楽配信装置。
【請求項１５】
請求項１３記載の音楽配信装置において、上記音楽データ追加及び削除処理部は、上記無料音楽配信ウエブサイトの音楽リストに掲載されてから所定の期間が経過した音楽データを削除することを特徴とする音楽配信装置。
【請求項１６】
請求項１１記載の音楽配信装置において、更に、所定の応募期間においてどの音楽データのダウンロード数が１位になるかをユーザが当てる懸賞応募を受け付ける懸賞応募処理部を設け、該懸賞応募処理部は、上記所定の応募期間が経過したとき、懸賞応募を締め切り、懸賞応募の当選者を決定することを特徴とする音楽配信装置。
【請求項１７】
請求項１１記載の音楽配信装置において、更に、チケット購入申し込み者が所定の最低催行数を超えたら音楽事業を開催する音楽事業開催管理部を設け、該音楽事業開催管理部は、上記有料音楽配信サイトに移管すると判定した音楽データのうち所定の条件を満たすものに関して音楽イベントを開催する旨の公告ページを上記無料音楽配信ウエブサイトと上記有料音楽配信ウエブサイト上に表示することを特徴とする音楽配信装置。
【発明の詳細な説明】
【技術分野】
【０００１】
本発明は、インターネット等の通信網を介してユーザの端末に音楽データを配信するための音楽配信方法及び装置に関する。
【背景技術】
【０００２】
音楽データ、映像データをインターネット等の通信網を介してユーザの端末に配信するシステムが普及している。このような配信システムでは、ユーザは、端末から所定の配信サイトにアクセスし、所望の音楽データ又は映像データをダウンロードする。料金はクレジットカード等を利用して支払う。
【０００３】
【特許文献１】特開２００１−１８８７３５号公報
【特許文献２】特開２００１−３１８６８２号公報
【特許文献３】特開２００２−１０８３５０号公報
【発明の開示】
【発明が解決しようとする課題】
【０００４】
従来の配信システムでは、ＣＤ、ＤＶＤ、テープ等によって既に発売されている音楽データのみを配信していた。従って、ユーザは、未だ発売されていない音楽データをダウンロードすることはできなかった。
【０００５】
本発明の目的は、未だ発表の機会のない音楽データ、発表の機会のない無名の新人の音楽データ等をユーザが自由にダウンロードすることができる音楽配信システムを提供することにある。
【課題を解決するための手段】
【０００６】
本発明によると、通信回線を介して端末装置に音楽データを配信する音楽配信方法において、
無料で音楽データを配信するための無料音楽配信ウエブサイトと有料で音楽データを配信するための有料音楽配信ウエブサイトを開設することと、
ユーザから上記無料音楽配信ウエブサイトを介して音楽データの配信要求を受信したとき、該ユーザに音楽データを無料で配信する配信ステップと、
上記配信ステップにて音楽データを配信した毎にダウンロード数を集計するダウンロード数集計ステップと、
上記ダウンロード数の集計結果に基いて、その音楽データを上記有料音楽配信ウエブサイトに移管するか否かを判定する移管判定ステップと、
上記有料音楽配信サイトに移管すると判定した音楽データを上記無料音楽配信ウエブサイトから上記有料音楽配信ウエブサイトに移管する移管ステップと、
を含む。
【発明の効果】
【０００７】
本発明によると、ユーザは、未だ発売されていない音楽データを無料でダウンロードすることができる。また、新しい音楽が商業ベースに乗せられるかどうか、迅速かつユーザ直接に確かめることができる。
【発明を実施するための最良の形態】
【０００８】
図１を参照して本発明による音楽配信システムの例を説明する。本例の音楽配信システムは、音楽配信サーバ１とユーザの端末装置２を含み、両者はインターネット等の通信回線３を介して接続されている。端末装置２は、通信機能、及び、ウエブブラウザの機能を有する端末装置であればどのようなものであってもよく、パーソナルコンピュータ、携帯電話、携帯情報端末、携帯ゲーム機等であってよい。音楽配信サーバ１はウエブサーバ機能と音楽データを配信する機能を有する。
【０００９】
本発明によると、音楽配信サーバ１は、歌手、演奏家等が応募した音楽データ４を音楽配信ウエブサイトに表示し、それを、一般のユーザに無料で配信する。無料のダウンロードユーザ数が所定数を超えたら、又は、所定の条件を満たすとき、その音楽データを無料のダウンロードサイトから有料のダウンロードサイトに移管する。
【００１０】
図２は、音楽配信サーバ１の構成例を示す。本例の音楽配信サーバ１は、無料音楽配信部１０と有料音楽配信部２０とを有する。有料音楽配信部２０は、有料音楽配信ウエブサイトを開設し、有料の音楽データをユーザに配信する機能を有するが、このようなシステムは既知でありここでは詳細に説明しない。
【００１１】
無料音楽配信部１０は、ユーザに無料で音楽データを配信するための無料音楽配信管理部１００、ダウンロードユーザ数が１位になる音楽タイトルを予想する懸賞応募を受け付け、それを処理する懸賞応募処理部１１０、及び、リスク回避型の音楽事業を開催し、それを管理する音楽事業開催管理部１２０を有する。無料音楽配信管理部１００は、無料音楽配信ウエブサイトを開設し、それを管理する無料音楽配信ウエブサイト管理部１０１、歌手、演奏家等から募集した音楽データを無料音楽配信ウエブサイト上の音楽リストに追加し、また、そこから削除する音楽データ追加及び削除処理部１０２、ユーザからの要求に応じて音楽データを無料で配信する無料音楽データ配信処理部１０３、無料音楽データをダウンロードしたユーザ数を音楽タイトル毎に集計するダウンロードユーザ数集計処理部１０４、及び、無料音楽配信ウエブサイト上に提供された音楽タイトルのうちダウンロードユーザ数が多い音楽タイトルを有料音楽配信ウエブサイトヘ移管する移管処理部１０５を有する。
【００１２】
音楽配信サーバ１は更に、原盤データベース３００、無料音楽配信データベース３０１、ダウンロード数集計データベース３０２、ダウンロードユーザデータベース３０３、懸賞応募データベース３０４、及び、有料音楽配信データベース３０５を有する。原盤データベース３００には、歌手、演奏者等から提供された全ての音楽データが永久保存されている。無料音楽配信データベース３０１には、無料音楽配信サイトの音楽リストに掲載されている音楽データが格納されている。ダウンロードユーザデータベース３０３には、無料音楽配信サイトの会員に関するデータが登録されている。会員のデータには、少なくとも、ユーザネーム、パスワード、ユーザ識別番号、電子メールアドレスが含まれるが、更に、本名、住所、電話番号、性別、生年月日、職業、決済クレジットカード番号等が含まれてよい。パスワードは、ユーザ自身が設定したものであるが、ユーザ識別番号は、音楽配信サーバ１がユーザに付与したものである。懸賞応募データベース３０４には、懸賞コンテストに関する情報が登録されている。有料音楽配信データベース３０５には、有料音楽配信サイトの音楽リストに掲載されている音楽データが格納されている。
【００１３】
音楽配信サーバ１のハードウエア構成は、ここでは詳細に説明しないが、典型的にはＣＰＵ、メモリ、ハードディスク等を有するコンピュータ装置であってよく、上述の機能はハードウエアによって実現されてもよくソフトウエアによって実現されてもよい。
【００１４】
図３を参照して音楽配信サーバ１の無料音楽配信部１０の動作を説明する。ステップＳ１０１にて、無料音楽配信ウエブサイト管理部１０１は、ユーザが端末装置から自由にアクセスすることができる無料音楽ダウンロード用のウエブサイトを表示する。このウエブサイトの名称を、ここでは、「無料ダウンロードストア」として説明する。ユーザは、端末装置のブラウザ機能を使用して、この「無料ダウンロードストア」にアクセスし、所定のウエブページを表示させることができる。
【００１５】
ステップＳ１０２にて、無料音楽データ配信処理部１０３は、ユーザからの要求に応じて音楽データを無料で配信する。本例では、無料でダウンロードすることができるのは、所定の入会手続きを行った者に限定されるとして説明する。ユーザは、無料音楽配信ウエブサイトのトップページを開き、パスワード、ユーザ識別番号等を入力する。それによって、無料音楽ダウンロード可能な音楽タイトルのリストを有するダウンロードページが表示される。そこで、所望の音楽タイトルを選択し、「ダウンロード」ボタンをクリックすればよい。入会手続きを行う場合には、トップページに表示された「会員登録」ボタンをクリックする。入力用ページが表示されたら、所定の欄に必要なデータを入力すればよい。入力するデータには、少なくとも、ユーザネーム、パスワード、電子メールアドレスが含まれるが、更に、本名、住所、電話番号、性別、生年月日、職業、決済クレジットカード番号等が含まれてよい。パスワードは、ユーザ自身が設定したものである。所定の事項を入力した後に、音楽配信サーバ１は、郵送等の方法によりユーザにユーザ識別番号を付与してもよい。
【００１６】
ステップＳ１０３にて、ダウンロードユーザ数集計処理部１０４は、音楽タイトル毎にダウンロードユーザ数を計数し、ダウンロードユーザ数のランキング順位を作成する。ステップＳ１０３のダウンロードユーザ数の集計処理の詳細は後に図６を参照して説明する。
【００１７】
ステップＳ１０４にて、懸賞応募処理部１１０は、ダウンロードを行ったユーザが懸賞コンテストに応募したか否かを判定する。懸賞コンテストは、所定の期間におけるダウンロード数のランキング順位が１位となる音楽タイトルをユーザが予想し、それが正解であるかをウエブサイト上で競う催しである。予想が当たったユーザには賞金等の所定の報酬を付与する。
【００１８】
懸賞応募を受信した場合には、ステップＳ１０５に進み、懸賞応募処理部１１０は懸賞応募の処理を実行し、ステップＳ１０６に進む。ステップＳ１０５の懸賞応募処理の詳細は後に図７を参照して説明する。ユーザが懸賞コンテストの応募を行っていない場合には、直接ステップＳ１０６に進む。
【００１９】
ステップＳ１０６にて、移管処理部１０５は、無料音楽配信ウエブサイトの音楽リストに掲載されている音楽タイトルのうち、有料音楽配信ウエブサイトに移管させるべき音楽タイトルがあるか否かを判定する。例えば、ダウンロードユーザ数が所定数を超えた音楽タイトルを有料音楽配信ウエブサイトに移管させると判定してよい。また、ダウンロードユーザ数のランキングの順位が１位であり且つダウンロードユーザ数が所定数を超えた音楽タイトルを有料音楽配信ウエブサイトに移管させると判定してもよい。
【００２０】
有料音楽配信ウエブサイトに移管させるべき音楽タイトルがある場合には、ステップＳ１０７にて、その音楽データを無料音楽配信ウエブサイトから有料音楽配信ウエブサイトに移管させる。ステップＳ１０７の移管処理の詳細は図８を参照して説明する。有料音楽配信ウエブサイトに移管させるべき音楽データがない場合には、処理を終了する。
【００２１】
図４を参照して新着音楽データの追加処理を説明する。音楽配信サーバ１は常時、音楽データを募集している。歌手、演奏家等は、自分が制作した音楽データを音楽配信サーバ１に応募することができる。応募可能な音楽データには、ボーカル、コーラス、器楽演奏等の音源を録音したものであればどのようなものであってもよい。音楽配信サーバ１の管理者は、応募作品を審査する。審査は、音楽性、公序良俗違反の有無、著作権等について行う。音楽配信サーバ１の管理者は、入力装置を介して、審査に合格した音楽データの入力処理を行う。
【００２２】
ステップＳ２０１にて、音楽データ追加及び削除処理部１０２は、入力された新着音楽データのジャンルを検出する。ステップＳ２０２にて、音楽データ追加及び削除処理部１０２は、新着音楽データを無料音楽配信データベース３０１に登録する。ステップＳ２０３にて、音楽データ追加及び削除処理部１０２は、新着音楽タイトルを無料音楽配信ウエブサイトの新着音楽リストに追加する。
【００２３】
ステップＳ２０４にて、音楽データ追加及び削除処理部１０２は、無料音楽配信ウエブサイトの新着音楽リストより、登録してから1週間経過した音楽タイトルを検出する。ステップＳ２０５にて、音楽データ追加及び削除処理部１０２は、検出した音楽タイトルを、新着音楽リストより通常の音楽リストに転送する。
【００２４】
図５を参照して、音楽データの削除処理を説明する。ステップＳ３０１にて、音楽データ追加及び削除処理部１０２は、無料音楽配信ウエブサイトの新着音楽リストに掲載されてから３ヶ月経過しても１度もダウンロードされていない音楽タイトルを検出する。ステップＳ３０２にて、検出した音楽タイトルを、無料音楽配信ウエブサイトの音楽リストから削除し、同時に、その音楽データを無料音楽配信データベース３０１から削除する。ステップＳ３０３にて、音楽データ追加及び削除処理部１０２は、無料音楽配信ウエブサイトの新着音楽リストに掲載されてから６ヶ月経過してもダウンロードされた回数が１００未満である音楽タイトルを検出する。ステップＳ３０４にて、検出した音楽タイトルを、無料音楽配信ウエブサイトの音楽リストから削除し、同時に、その音楽データを無料音楽配信データベース３０１から削除する。ステップＳ３０５にて、音楽データ追加及び削除処理部１０２は、無料音楽配信ウエブサイトの新着音楽リストに掲載されてから１年経過した音楽タイトルを検出する。ステップＳ３０６にて、検出した音楽タイトルを、無料音楽配信ウエブサイトの音楽リストから削除し、同時に、その音楽データを無料音楽配信データベース３０１から削除する。尚、ステップＳ３０１において、音楽データを応募した歌手、演奏者自身によるダウンロードは計数しない。ステップＳ３０３において、音楽データを応募した歌手、演奏者自身によるダウンロード及び同一ユーザによる繰り返しのダウンロードは計数しない。
【００２５】
図６を参照してステップＳ１０３のダウンロードユーザ数の集計処理を詳細に説明する。ステップＳ４０１にて、ダウンロードユーザ数集計処理部１０４は、音楽データをダウンロードしたユーザを特定する。ユーザの特定は、ユーザがダウンロード時に入力したユーザの識別番号等により行う。ここで、音楽データは、新着音楽リストに掲載されている新着音楽タイトルと通常の音楽リストに掲載されている音楽タイトルの両者を含む。ステップＳ４０２にて、ダウンロードユーザ数集計処理部１０４は、そのユーザが、その音楽データを初めてダウンロードしたか否かを判定する。そのユーザが、その音楽データを過去に既にダウンロードしている場合及びその音楽データを提供した歌手、演奏者等の本人である場合には、処理を終了する。そのユーザが、その音楽データを初めてダウンロードした場合及び音楽データを提供した本人でない場合には、ステップＳ４０３に進む。
【００２６】
ステップＳ４０３にて、ダウンロードユーザ数集計処理部１０４は、その音楽データをダウンロードしたユーザ数をカウントアップする。ダウンロードユーザ数集計処理部１０４はダウンロードユーザ数の集計結果をダウンロード数集計データベース３０２に保存する。ステップＳ４０４にて、ダウンロードユーザ数集計処理部１０４は、ダウンロードユーザ数の集計結果に基いて、音楽タイトルのランキングの順位を更新する。新着音楽リストにおけるランキング順位はリアルタイム表示される。即ち、ダウンロード毎にランキング順位が更新される。通常の音楽リストにおけるランキング順位は、所定の期間毎にランキング順位が更新される。所定の期間は、例えば、５分、１０分、１時間等である。このランキング順位は、無料音楽配信ウエブサイトに表示される。
【００２７】
図７を参照してステップＳ１０５の懸賞応募処理の詳細を説明する。ステップＳ５０１にて、懸賞応募処理部１１０は、ユーザからの懸賞応募を受信する。ステップＳ５０２にて、懸賞応募処理部１１０は、懸賞応募内容を懸賞応募データベース３０４に登録する。懸賞応募内容には、ユーザ名、ユーザ識別番号、１位を予想した音楽データの識別番号、登録した日時、現在のダウンロードのランキング順位等である。懸賞応募内容については後に図１７を参照して説明する。ステップＳ５０３にて、懸賞応募処理部１１０は、応募期間が経過したか否かを判定する。応募期間は、例えば、新着音楽データが登録された日から所定の期間、例えば、１週間である。ステップＳ５０４にて、応募を締め切り、正解者が複数あれば抽選を行い、1人の正解者を決定する。ステップＳ５０５に、正解者に電子メール等の方法で通知する。正解者には賞金、有料ダウンロード曲の無料ダウンロード権等の報酬を与える。正解者がない場合には、その旨を公告し、賞金を次回に累積してもよい。
【００２８】
図８を参照してステップＳ１０７の移管処理の詳細を説明する。ステップＳ６０１にて、移管処理部１０５は、移管対象の音楽データを無料音楽配信データベース３０１から有料音楽配信データベース３０５に転送する。ステップＳ６０２にて、移管処理部１０５は、移管対象の音楽タイトルを無料音楽配信ウエブサイトの音楽リストから有料音楽配信ウエブサイトの音楽リストに移管する。
【００２９】
図９は、音楽データを募集するためのウエブページの例を示す。このページには、音楽データのタイトルである曲名１００１、音楽データの送付方法１００２、歌手又は演奏者の名前であるアーティスト名１００３、作詞者名１００４、作曲者名１００５、歌手又は演奏者が属するレーベル名１００６、ジャンル名１００７、ジャケット写真の送付方法１００８、歌手又は演奏者の写真であるアーティスト写真の送付方法１００９、歌手又は演奏者自身によるアーティストコメント１０１０、本名１０１１、住所１０１２、年齢１０１３、職業１０１４、昼間連絡先１０１５、電子メールアドレス１０１６、審査料の支払い方法１０１７等の入力項目が含まれる。
【００３０】
音楽データの送付方法１００２は、応募者が、音楽データを、音楽配信サーバ１に送付する方法であり、ＣＤ、ＤＶＤ、テープ等を郵送する方法とインターネット等の通信網を介してアップロードする方法のいずれかを選択することができる。ジャンル名１００７は、ロック、ヒップポップ／Ｒ＆Ｇ、ボーカル、ポップス、クラブ／ダンス、ジャズ、クラシック、ワールド等から選択する。ジャケット写真は、ＣＤ、ＤＶＤ等のケースに挿入されるジャケット用の写真である。アーティスト写真は、ウエブページにて表示される歌手又は演奏者の写真である。ジャケット写真及びアーティスト写真の送付方法は、郵送とアップロードのいずれかを選択することができる。審査料の支払い方法１０１７は、郵送、振込み、オンライン等から選択することができる。応募者は、このウエブページに表示されている項目を入力し、画面の下端の「応募する」ボタン１０１８をクリックすることにより、応募手続きが完了する。
【００３１】
図１０は、原盤データベース３００に登録されている音楽データの情報の例を示す。各音楽データの情報は、楽曲を識別するための楽曲登録番号２００１、音楽データのタイトルである曲名２００２、ユーザに配信する音楽データ２００３、アーティスト名２００４、作詞者名２００５、作曲者名２００６、レーベル名２００７、及び、ジャンル名２００８を含む。
【００３２】
各音楽データの情報は、更に、ジャケット写真２００９、アーティスト写真２０１０、アーティストコメント２０１１、及び、スタッフ推薦コメント２０１２を含む。スタッフ推薦コメント２０１２は、音楽配信サーバ１の管理者による推薦コメントであり、例えば、審査の過程にて生成される。
【００３３】
各音楽データの情報は、更に、審査料支払いチェック２０１３、審査通過チェック２０１４、登録料支払いチェック２０１５、登録日２０１６を有する。審査料支払いチェック２０１３は、音楽データの応募者が審査料を支払ったか否かを示し、審査通過チェック２０１４は、音楽データが審査を通過したか否かを示し、登録料支払いチェック２０１５は、音楽データの応募者が登録料を支払ったか否かを示し、登録日２０１６は、音楽データが審査を通過し、原盤データベース３００に登録された日を示す。
【００３４】
曲名２００２、アーティスト名２００４、作詞者名２００５、作曲者名２００６、レーベル名２００７、ジャンル名２００８、アーティストコメント２０１１は、図９の音楽データの応募を受け付けるウエブページの曲名１００１、アーティスト名１００３、作詞者名１００４、作曲家名１００５、レーベル名１００６、ジャンル名１００７、アーティストコメント１０１０に対応している。
【００３５】
各音楽データの情報は、更に、無料音楽配信ウエブサイトからのダウンロード数２０１７、無料音楽配信ウエブサイトにおけるダウンロードユーザ数のランキング２０１８、有料ダウンロードに関する情報２０１９等を含む。
【００３６】
図１１は、無料音楽配信ウエブサイト管理部１０１によって提供される無料音楽配信ウエブサイトの「無料ダウンロードストア」のページの例を示す。このウエブページは、トップページにて、ユーザがパスワード、ユーザ識別番号等を入力することにより表示される。このウエブページには、このウエブサイトのタイトルである「無料ダウンロードストア」、「新着曲」、「ランキング」等が表示される。「新着曲」の欄には、新着曲の音楽タイトルのリストの一部が表示される。図４を参照して説明したように、無料音楽配信ウエブサイトの新着音楽リストの音楽タイトルは、ここに掲載されてから1週間経過すると通常の音楽リストに移管される。「ランキング」の欄には、ダウンロードユーザ数のランキングが多い順に表示されている。
【００３７】
このウエブページには、リンク先に移動するための多くのアイコンが表示されている。例えば、「新着曲」の下の「すべてを見る」は、新着曲のリストの全てを表示するページへ移動するためのアイコンである。「ランキング」の下の「すべてを見る」は、ダウンロードユーザ数のランキング順位の全てを表示するためのアイコンである。「音楽イベント開催」ボタンは、音楽イベントの開催に関するページを表示するアイコン、「アーティスト原盤応募受付」ボタンは、歌手、演奏者等から音楽データを募集するページを表示するアイコン、「懸賞コンテスト応募受付」ボタンは、ユーザによる懸賞応募のページへ移動するためのアイコンである。
【００３８】
図１２は、新着曲のリストを表示するページの例を示す。「新着曲」の欄には、新着音楽データの音楽タイトルのリストが、登録の新しい順に例えば２５曲だけ表示される。次のページには、次の２５曲が表示される。更に次のページには、更に次の２５曲が表示されるこのページには、新着曲のリストが登録順に表示されている。図１３は、新着曲のリストのジャンル別に表示するページの例を示す。このページには、新着曲のリストがジャンル別に登録順に表示されている。
【００３９】
ここでは、新着曲の音楽リストを表示するウエブページを説明したが、通常の音楽リストについても、図１２および図１３と同様なリストを表示するページが提供される。
【００４０】
図１４は、ダウンロードユーザ数のランキング順位を全ての音楽タイトルについて表示したページの例を示す。図１５は、ダウンロードユーザ数のランキング順位をジャンル毎に表示したページの例を示す。これらのランキングは、新着音楽タイトルと通常の音楽タイトルの両者を含む音楽タイトルに関する。
【００４１】
図１６は、ユーザが音楽データをダウンロードするための音楽リストを表示したページの例を示す。図１１〜図１５のウエブページにおいて、ユーザが、希望する曲名の部分をクリックすると、図１６に示すページが表示される。このページは、曲名、アーティスト名、演奏時間、現在のランキング順位、アーティスト写真、ジャケット写真、アーティストコメント、スタッフ推薦コメント等が表示される。このページには、更に、「試聴する」ボタン、「ダウンロードする」ボタン、「懸賞に応募」ボタン等が表示されている。「試聴する」ボタンをクリックすると、その曲の最初の部分のみが再生される。「ダウンロードする」ボタンをクリックすると、その音楽データがユーザの端末装置にダウンロードされる。「懸賞に応募」ボタンをクリックすると、図１７の懸賞応募ページが表示されている。
【００４２】
図１７を参照して、懸賞応募ページの例を説明する。懸賞応募ページは、曲名、アーティスト名、演奏時間、現在のランキング順位、ジャケット写真、アーティスト写真等が表示される。このページには、更に、ユーザ推薦コメントを記載する欄が表示されている。ユーザが「１位に予想」ボタンをクリックすることにより、ユーザは懸賞応募手続きを完了する。
【００４３】
図１８を参照して音楽事業開催管理部１２０における処理を説明する。ステップＳ７０１にて、音楽事業開催管理部１２０は、有料音楽配信データベース３０５を検索し、音楽イベントを開催する対象となる歌手、演奏家を検出する。音楽イベントを開催する対象となるためには、例えば、ダウンロードユーザ数が所定数より多い、無料音楽配信ウエブサイトから有料音楽配信サイトに移管されてから所定の期間以内である、等の条件を満たす必要がある。ステップＳ７０２にて、音楽事業開催管理部１２０は、検出した対象に基いて、音楽イベント開催のウエブページを作成する。音楽イベント開催のウエブページの例は図１９を参照して説明する。
【００４４】
ステップＳ７０３にて、音楽事業開催管理部１２０は、ユーザから音楽イベントのチケットの購入の申し込みを受け付ける。ステップＳ７０４にて、音楽事業開催管理部１２０は、チケットの購入の申し込みを審査し、審査に合格した数を集計する。この審査は、申し込みページの所定の欄に適正な入力が行われているか、チケット料金が支払われる準備がなされているかを判定する。
【００４５】
ステップＳ７０５にて、音楽事業開催管理部１２０は、チケットの購入の申し込み期間が経過したか否かを判定する。経過した場合には、ステップＳ７０６に進む。ステップＳ７０６にて、音楽事業開催管理部１２０は、チケットの購入申し込み者数が所定数を超えたか否かを判定する。チケットの購入申し込み者数が所定数を超えた場合には、ステップＳ７０７に進み、チケットの購入申し込み者に、電子メール等により音楽イベント開催を通知し、同時にチケット料金の入金処理を実行する。ステップＳ７０８にて、音楽事業開催管理部１２０は、無料音楽配信ウエブサイト及び有料音楽配信ウエブサイトにて、音楽イベント開催を公告する。チケットの購入申し込み者数が所定数を超えない場合には、ステップＳ７０９に進み、チケットの購入申し込み者に、電子メール等により音楽イベント開催中止を通知する。ステップＳ７１０にて、音楽事業開催管理部１２０は、無料音楽配信ウエブサイト及び有料音楽配信ウエブサイトにて、音楽イベント開催中止を公告する。
【００４６】
図１９を参照して、音楽イベント開催のウエブページの例を示す。本例のウエブページは、アーティスト名、予定公演日時、会場、席種、料金、コメント、アーティスト写真、ジャケット写真、最低催行人数、現在のチケット購入申し込み者数等の欄が表示される。このウエブページの「チケット予約購入」ボタンをクリックすると、チケット予約購入ページが表示される。チケット予約購入ページは、チケット購入申し込み者の住所、氏名、年齢、ユーザ番号、料金の支払い方法等を記入する欄を含むが、ここでは、図示を省略する。
【００４７】
以上、本発明の例を説明したが本発明は上述の例に限定されるものではなく、特許請求の範囲に記載された発明の範囲にて様々な変更が可能であることは、当業者であれば容易に理解されよう。
【図面の簡単な説明】
【００４８】
【図１】本発明による音楽配信システムの例を説明するための説明図である。
【図２】本発明による音楽配信サーバの構成例を示す図である。
【図３】本発明による音楽配信サーバの無料音楽配信部の動作を説明するための流れ図である。
【図４】本発明による新着音楽データの追加処理を説明する流れ図である。
【図５】本発明による音楽データの削除処理を説明する流れ図である。
【図６】本発明によるダウンロードユーザ数の集計処理を説明する流れ図である。
【図７】本発明による懸賞応募処理を説明する流れ図である。
【図８】本発明による無料音楽配信ウエブサイトから有料音楽配信ウエブサイトへの移管処理を説明する流れ図である。
【図９】本発明による音楽データを募集するためのウエブページの例を示す図である。
【図１０】本発明による原盤データベースに登録されている音楽データの情報の例を示す図である
【図１１】本発明による無料音楽配信ウエブサイト管理部によって提供される無料音楽配信ウエブサイトのトップページの例を示す図である。
【図１２】本発明による新着曲のリストの全てを表示するページの例を示す図である。
【図１３】本発明による新着曲のリストのジャンル別に表示するページの例を示す図である。
【図１４】本発明によるダウンロードユーザ数のランキング順位を全ての音楽タイトルについて表示したページの例を示す図である。
【図１５】本発明によるダウンロードユーザ数のランキング順位をジャンル毎に表示したページの例を示す図である。
【図１６】本発明によるユーザが音楽データをダウンロードするための音楽リストを表示したページの例を示す図である。
【図１７】本発明による懸賞応募ページの例を示す図である。
【図１８】本発明による音楽事業開催管理部における処理を説明する流れ図である。
【図１９】本発明による音楽イベント開催のウエブページの例を示す図である。
【符号の説明】
【００４９】
１…音楽配信サーバ、２…端末装置、３…通信回線、１０…無料音楽配信部、２０…有料音楽配信部、１００…無料音楽配信管理部、１０１…無料音楽配信ウエブサイト管理部、１０２…音楽データ追加及び削除処理部、１０３…無料音楽データ配信処理部、１０４…ダウンロードユーザ数集計処理部、１０５…移管処理部、１１０…懸賞応募処理部、１２０…音楽事業開催管理部、３００…原盤データベース、３０１…無料音楽配信データベース、３０２…ダウンロード数集計データベース、３０３…ダウンロードユーザデータベース、３０４…懸賞応募データベース、３０５…有料音楽配信データベース
【図１】
2006208692.tif 000003
【図２】
2006208692.tif 000004
【図３】
2006208692.tif 000005
【図４】
2006208692.tif 000006
【図５】
2006208692.tif 000007
【図６】
2006208692.tif 000008
【図７】
2006208692.tif 000009
【図８】
2006208692.tif 000010
【図９】
2006208692.tif 000011
【図１０】
2006208692.tif 000012
【図１１】
2006208692.tif 000013
【図１２】
2006208692.tif 000014
【図１３】
2006208692.tif 000015
【図１４】
2006208692.tif 000016
【図１５】
2006208692.tif 000017
【図１６】
2006208692.tif 000018
【図１７】
2006208692.tif 000019
【図１８】
2006208692.tif 000020
【図１９】
2006208692.tif 000021